(57)【要約】【課題】棚面積を自在に調整することができ、これにより利便性および収納性が向上した冷却庫用棚装置を提供する。【解決手段】冷却庫用棚装置４０は、貯蔵物を載置するための棚部を備えるものであって、棚部を形成する複数の棒状体４２と、複数の棒状体４２を支持するための一対の支持部４１とを備える。複数の棒状体４２は、棚部の左右方向に亘って、棚部の前後方向において互いに距離を隔てた状態で平行に配置される。一対の支持部４１は、棚部の前後方向に沿って延在するように棚部の左右方向の両端に配置される。一対の支持部４１の各々は、複数の棒状体４２の各々の端部を個別に受け入れることが可能な受け部４３を棚部の前後方向に沿って複数有する。複数の棒状体４２は、複数の棒状体４２の各々が個別に一対の支持部４１に対して着脱自在となるように、互いに分離独立して構成される。【選択図】図２
2014020744.tif 000002
【特許請求の範囲】
【請求項１】
貯蔵物を載置するための棚部を備えた冷却庫用棚装置であって、
前記棚部の左右方向に亘って、前記棚部の前後方向において互いに距離を隔てた状態で平行に配置されることにより、前記棚部を形成する複数の棒状体と、
前記複数の棒状体を支持するために、前記棚部の前後方向に沿って延在するように前記棚部の左右方向の両端に配置された一対の支持部とを備え、
前記一対の支持部の各々は、前記複数の棒状体の各々の端部を個別に受け入れることが可能な受け部を前記棚部の前後方向に沿って複数有し、
前記複数の棒状体の各々が個別に前記一対の支持部に対して着脱自在となるように、前記複数の棒状体が、互いに分離独立して構成されている、冷却庫用棚装置。
【請求項２】
前記複数の受け部の各々が、前記複数の棒状体の端部のいずれかを受け入れた状態において、当該受け入れた端部を軽保持するラッチ部を有している、請求項１に記載の冷却庫用棚装置。
【請求項３】
前記複数の棒状体が、前記一対の支持部によって支持された状態において、前記一対の支持部によって回転可能に支承されている、請求項１または２に記載の冷却庫用棚装置。
【請求項４】
前記複数の棒状体の端部が、いずれも円柱状である、請求項３に記載の冷却庫用棚装置。
【請求項５】
前記複数の棒状体の端部を除く部分である本体部が、いずれも非円柱状であり、
前記複数の受け部のうちの隣り合う受け部によって支持された棒状体同士が前記本体部において相互に干渉し合うことにより、これら棒状体が、周回するように回転することが防止されている、請求項４に記載の冷却庫用棚装置。
【請求項６】
請求項１から５のいずれかに記載の冷却庫用棚装置を冷蔵室、野菜室および冷凍室のうち少なくともいずれかに備えた、冷却庫。
【請求項７】
前記複数の棒状体のうち、前記一対の支持部によって支持されていない棒状体を収容するための収容部が設けられた、請求項６に記載の冷却庫。
【発明の詳細な説明】
【技術分野】
【０００１】
本発明は、冷却庫用棚装置（以下、単に棚装置とも称する）およびこれを備えた冷却庫に関し、特に、利便性および収納性を向上させることができる冷却庫用棚装置およびこれを備えた冷却庫に関する。
【背景技術】
【０００２】
冷却庫には、食品等の貯蔵物を載置するための棚装置が設けられることが一般的である。当該棚装置が設けられた冷却庫おいて、利便性および収納性を向上させるためには、棚部の棚面積が自在に変更できることが好ましい。
【０００３】
棚面積を変更することで棚部が除かれたスペースに背の高い貯蔵物を収納することが可能とされた冷却庫用棚装置が開示された文献として、たとえば、特開平１−１０７０８１号公報（特許文献１）、特開昭６１−２０２０７２号公報（特許文献２）および特開昭６１−８９４７８号公報（特許文献３）がある。
【０００４】
上記特許文献１ないし３に開示の棚装置においては、棚部が前棚と後棚とに分割されており、後棚に対して前棚が前後方向にスライド移動可能となるように構成されるとともに、前棚と後棚とを重ね合わせた状態において棚部全体を傾斜させることができるように構成されており、これにより棚面積が変更可能とされている。
【先行技術文献】
【特許文献】
【０００５】
【特許文献１】特開平１−１０７０８１号公報
【特許文献２】特開昭６１−２０２０７２号公報
【特許文献３】特開昭６１−８９４７８号公報
【発明の概要】
【発明が解決しようとする課題】
【０００６】
しかしながら、上記特許文献１ないし３に開示された棚装置にあっては、前棚を前後方向に移動させることはできても、後棚を前後方向にスライド移動させることはできないため、必ずしも使い勝手のよいものとなっていなかった。
【０００７】
たとえば、上記棚装置において、前後方向において前棚の長さよりも長く、かつ、棚部に載置可能な高さよりも背が高い貯蔵物を収納する場合については、前棚を後棚に重なるようにスライド移動させた状態で棚部全体を傾斜させることにより、収納スペースを確保することが必要となる。
【０００８】
ここで、傾斜させた棚部には、貯蔵物を載置することができないため、棚装置を傾斜させる際に、載置していた貯蔵物を全て移動させなければならず、使用者に不便をきたすこととなっていた。また、棚部が傾斜して配置されている領域には、当然に貯蔵物を収納することができないため、これがデッドスペースとなってしまっていた。
【０００９】
これら問題は、端部の棚面積が完全な意味において自在に調整できるように構成されていないことに起因するものであり、その改善が求められているところである。
【００１０】
したがって、本発明は、上述した問題に鑑みてなされたものであり、棚面積を自在に調整することができ、これにより利便性および収納性が向上した冷却庫用棚装置およびこれを備えた冷却庫を提供することを目的とする。
【課題を解決するための手段】
【００１１】
本発明に係る冷却庫用棚装置は、貯蔵物を載置するための棚部を備えるものであって、上記棚部を形成する複数の棒状体と、上記複数の棒状体を支持するための一対の支持部とを備える。上記複数の棒状体は、上記棚部の左右方向に亘って、上記棚部の前後方向において互いに距離を隔てた状態で平行に配置される。上記一対の支持部は、上記棚部の前後方向に沿って延在するように上記棚部の左右方向の両端に配置される。上記一対の支持部の各々は、上記複数の棒状体の各々の端部を個別に受け入れることが可能な受け部を上記棚部の前後方向に沿って複数有する。上記複数の棒状体は、上記複数の棒状体の各々が個別に上記一対の支持部に対して着脱自在となるように、互いに分離独立して構成される。
【００１２】
上記本発明に係る冷却庫用棚装置にあっては、上記複数の受け部の各々が、上記複数の棒状体の端部のいずれかを受け入れた状態において、当該受け入れた端部を軽保持するラッチ部を有することが好ましい。
【００１３】
上記本発明に係る冷却庫用棚装置にあっては、上記複数の棒状体が、上記一対の支持部によって支持された状態において、上記一対の支持部によって回転可能に支承されることが好ましい。
【００１４】
上記本発明に係る冷却庫用棚装置にあっては、上記複数の棒状体の端部が、いずれも円柱状であることが好ましい。
【００１５】
上記本発明に係る冷却庫用棚装置にあっては、上記複数の棒状体の端部を除く部分である本体部が、いずれも非円柱状であってもよく、その場合には、上記複数の受け部のうちの隣り合う受け部によって支持された棒状体同士が上記本体部において相互に干渉し合うことにより、これら棒状体が、周回するように回転することが防止されることが好ましい。
【００１６】
本発明に係る冷却庫は、上記本発明に係る冷却庫用棚装置を冷蔵室、野菜室および冷凍室のうち少なくともいずれかに備えるものである。
【００１７】
上記本発明に係る冷却庫にあっては、上記複数の棒状体のうち、上記一対の支持部によって支持されていない棒状体を収容するための収容部が設けられることが好ましい。
【発明の効果】
【００１８】
本発明によれば、棚面積を自在に調整することができ、これにより利便性および収納性が向上した冷却庫用棚装置およびこれを備えた冷却庫を提供することができる。
【図面の簡単な説明】
【００１９】
【図１】本発明の実施の形態１に係る冷却庫の模式断面図である。
【図２】図１に示す冷蔵室の概略図である。
【図３】図１に示す棚装置の上面図である。
【図４】図１に示す棚装置における棒状体の側面と支持部の断面を示す図である。
【図５】図１に示す棚装置の使用例を示す図である。
【図６】本発明の実施の形態１に基づいた変形例に係る棚装置における棒状体の側面と支持部の断面を示す図である。
【図７】図６に示す棒状体が回転した状態における本体部の断面図である。
【図８】本発明の実施の形態２に係る棚装置における棒状体の側面と支持部の断面を示す図である。
【図９】本発明の実施の形態３に係る棚装置の概略図である。
【発明を実施するための形態】
【００２０】
以下、本発明の実施の形態について、図を参照して詳細に説明する。なお、同一のまたは相当する部分に図中同一の参照符号を付し、その説明を繰返さない場合がある。
【００２１】
（実施の形態１）
まず、本発明の実施の形態１に係る冷却庫について説明する。ここで、冷却庫とは、冷凍サイクルにより食品等の貯蔵物（被冷却物）を冷却するための装置であり、たとえば家庭等において使用される冷凍冷蔵庫がこれに該当する。本実施の形態における冷却庫は、被冷却物を冷凍貯蔵するための冷凍室と、被冷却物を貯蔵するための冷蔵室および野菜室とを備える。
【００２２】
図１は、本発明の実施の形態１に係る冷却庫の模式断面図である。図１に示すように、冷却庫１は、本体１１および開閉扉１２を含む筺体１０を有し、本体１１内が仕切壁１３によって区切られることにより、冷蔵室３０、野菜室３１および冷凍室３２を備える。また、冷却庫１は、本体１１の後方下部に機械室３３を備える。
【００２３】
冷蔵室３０は、本体１１の前面に設けられた開閉扉１２により、前面が開閉できるように構成される。冷蔵室３０には、貯蔵物を載置することができる棚装置４０が複数段に分かれて設けられる。
【００２４】
野菜室３１および冷凍室３２には、貯蔵物を収納する引き出し式の貯蔵容器１４がそれぞれ設けられ、貯蔵容器１４を引き出すことにより貯蔵物の出し入れが可能に構成される。機械室３３には、圧縮機２０および凝縮器２１が設置される。
【００２５】
また、冷却庫１は、冷凍サイクルとして、圧縮機２０と、圧縮機２０により圧縮された冷媒を凝縮するための凝縮器２１と、凝縮器２１により凝縮された冷媒を膨張させるための減圧装置（不図示）と、減圧装置を経た冷媒を蒸発させる蒸発器２２とを備える。
【００２６】
圧縮機２０が駆動し、冷凍サイクルが機能すると、高温高圧状態に圧縮された冷媒が圧縮機２０から凝縮器２１に流入して液化（凝縮）され、液化された冷媒が減圧装置を通って減圧されて低温となり、蒸発器２２に流入する。蒸発器２２において冷媒が周囲から熱を奪って気化した後には、冷媒は圧縮機２０に戻る。冷凍サイクルの機能時に、蒸発器２２の熱交換によって生成された冷気は、冷凍室３２、冷蔵室３０および野菜室３１を循環し、冷凍室３２、冷蔵室３０および野菜室３１の温度が所定の温度に保たれる。
【００２７】
なお、棚装置４０は、必ずしも冷蔵室３０のみに設けられるものではなく、野菜室３１や冷凍室３２に設けられてもよい。すなわち、棚装置４０は、冷蔵室３０、野菜室３１および冷凍室３２のうち少なくともいずれかに設けられていればよい。
【００２８】
図２は、図１に示す冷蔵室の概略図である。図３は、図１に示す棚装置の上面図である。以下、図２および図３を参照して、本実施の形態における棚装置４０の構造について説明する。
【００２９】
図２および図３に示すように、棚装置４０は、支持部４１と複数の棒状体４２とを備える。棚装置４０は、冷蔵室３０内において、上下方向（ＤＲ３方向）に並んで配置される。支持部４１は、冷蔵室３０の内壁に設けられ、前後方向（ＤＲ１方向）に沿って延在する。支持部４１は、複数の棒状体４２を個別に受け入れる複数の受け部４３を有し、対となるように棒状体４２の左右（ＤＲ２方向）両端に配置され、複数の棒状体４２を支持する。
【００３０】
棒状体４２は、支持部４１の受け部４３によって支承される端部４２１と、貯蔵物に接する本体部４２２とを有する。ここで、本体部４２２は、両側に位置する端部４２１を除く部分である。棒状体４２は、全体として円柱形状を有し、端部４２１の中心軸と本体部４２２の中心軸とは、同一直線上に並んでいる。
【００３１】
棒状体４２は、冷蔵室３０の左右方向（ＤＲ２方向）に亘って配置され、冷蔵室３０の前後方向（ＤＲ１方向）に互いに距離を隔てた状態で平行に配置される。棒状体４２は、前後方向（ＤＲ１方向）に並んで配置されることで、貯蔵物を載置可能な棚部を形成する。棚部において、棒状体４２と貯蔵物とが接することが可能な面積を棚面積と称する。
【００３２】
また、前後方向（ＤＲ１方向）において隣り合う棒状体４２の間には、隙間４４が設けられる。当該隙間４４を冷気が通過することにより、冷蔵室３０内において冷気が流通し易くなる。
【００３３】
受け部４３は、所定の間隔で前後方向（ＤＲ１方向）に並んで形成され、対となる支持部４１に対して同一の位置に形成される。受け部４３は、支持部４１の内側面４１２から外側面４１１に亘って貫通しており、支持部４１の上面、内側面４１２および外側面４１１に対して開口している。
【００３４】
図４は、図１に示す棚装置における棒状体の側面と支持部の断面を示す図である。図中上方に棒状体４２の側面を示し、図中下方に支持部４１の断面を示す。次に、図４を参照して、棒状体４２の支持部４１による支持構造について説明する。
【００３５】
図４に示すように、支持部４１の受け部４３は、上方に位置する一対の傾斜面４５と、下方に位置する支持面４６とを有する。一対の傾斜面４５は、下方に向かうにつれてその間の距離が狭まるように形成される。支持面４６は、一対の傾斜面４５に連続する円弧形状を有する。受け部４３は、傾斜面４５と支持面４６との境界において、棚装置４０の前後方向に向けて突出するラッチ部４７を有する。傾斜面４５、支持面４６およびラッチ部４７は、支持部４１の左右方向（紙面と垂直な方向）に延在し、支持部４１の内側面４１２から外側面４１１に亘って形成される。
【００３６】
受け部４３がこのような構造を有することにより、棒状体４２を支持部４１の上方から矢印Ａ１方向に沿って押し込むことにより、棒状体４２が支持部４１によって支持される。その際、棒状体４２が傾斜面４５に接触しながら移動することで棒状体４２の移動方向が下向きに定まり、棒状体４２がスムーズに受け部４３内に案内される。
【００３７】
次に、図４を参照して、棒状体４２が支持部４１によって支持された状態について説明する。支持部４１に棒状体４２を取り付けた状態における端部４２１の位置を、図中において破線で示す。
【００３８】
図４に示すように、棒状体４２が支持部４１によって支持された状態においては、端部４２１の上面が、支持部４１の上面よりも低い位置にある。支持面４６は、端部４２１の径と略同一の径の円弧形状を有しており、端部４２１は、その周面が支持面４６およびラッチ部４７と接するように配置される。
【００３９】
ラッチ部４７は、棚装置４０の左右方向（紙面と垂直な方向）において、端部４２１の周面と直線状に接する。ラッチ部４７は、端部４２１の周面と接触した状態で端部４２１の中心に向けて端部４２１を押さえ付ける。このようにして、端部４２１は、ラッチ部４７によって軽保持される。
【００４０】
一方、端部４２１がラッチ部４７に軽保持された状態において、所定の力を上方に向けて（図中矢印Ａ２方向に向けて）棒状体４２に負荷することで、支持部４１から棒状体４２を取り外すことができる。
【００４１】
以上の構成とすることにより、複数の棒状体４２は、支持部４１に対して個別に着脱可能となる。そのため、複数の棒状体４２を個別に着脱することで、所望のスペースに応じて棚装置４０の棚面積を自在に変更することができる。
【００４２】
図５は、図１に示す棚装置の使用例を示す図である。次に、図５を参照して、棚面積を変更させた場合について説明する。
【００４３】
図５に示す状態においては、棚装置４０の後方（図中上側）において、棒状体４２が支持部４１によって支持されており、棚装置４０の前方（図中下側）において、棒状体４２が支持部４１から取り外されている。
【００４４】
このような配置では、棚装置４０の後方において、背の低い貯蔵物１０１を棒状体４２に載置することで背の低い貯蔵物１０１を冷蔵室３０内に収納することができるばかりでなく、棚装置４０の前方において、背の高い貯蔵物１０２を当該棚装置４０の下方に位置する別の棚装置（または当該棚装置４０が最下段に位置する場合には冷蔵室３０の底面（図１中の仕切壁１３の上面））に載置して、背の高い貯蔵物１０２を冷蔵室３０内に収納することができる。さらには、棚装置４０の後方であってかつ棚装置４０の下方においても、背の低い貯蔵物１０１を収納することができる。この場合、棚装置４０の前方に背の高い貯蔵物１０２を収納することができるので、背の高い貯蔵物１０２の出し入れを簡単に行なうことができる。
【００４５】
その他の使用例として、棚装置４０の前方に棒状体４２を配置し、後方に棒状体４２を配置しないこととしてもよい。このような配置では、棚装置４０の前方において、背の低い貯蔵物１０１を棒状体４２に載置して、背の低い貯蔵物１０１を冷蔵室３０に収納することができばかりでなく、棚装置４０の後方において、背の高い貯蔵物１０２を当該棚装置４０の下方に位置する別の棚装置（または当該棚装置４０が最下段に位置する場合には冷蔵室３０の底面（図１中の仕切壁１３の上面））に載置して、背の高い貯蔵物１０２を冷蔵室３０に収納することができる。さらには、棚装置４０の前方であってかつ棚装置４０の下方においても、背の低い貯蔵物１０１を収納することができる。この場合、棚装置４０の前方に背の低い貯蔵物１０１を載置することができるので、背の低い貯蔵物１０１の出し入れを簡単に行なうことができる。
【００４６】
なお、支持部４１によって支持されない棒状体４２は、冷蔵室３０内または本体１１の外側部分に設けられた棒状体用の収容部（不図示）に収容される。冷蔵室３０内に収容部を形成する場合には、収容部は、たとえば他の棚装置４０の下側に形成される。一方、本体１１の外側部分に収容部を形成する場合には、収容部は、たとえば庫外へ引きし可能となるように形成される。
【００４７】
このように、本実施の形態に係る冷却庫１および棚装置４０では、背の高い貯蔵物１０２を収納する際に必要となるスペースに応じて、棒状体４２を支持部４１から適宜着脱することにより、棚装置４０の前方から後方に亘って棚面積を自在に調節することができる。したがって、後方に貯蔵物を載置したまま、前方に背の高い貯蔵物１０２を収納する収納スペースを拡張したり、前方に貯蔵物を載置したまま、後方に背の高い貯蔵物１０２を収納する収納スペースを拡張したりすることが可能となり、利便性および収納性が向上する。また、棒状体４２を全て外すことによって、棚装置４０の前方から後方に亘って背の高い貯蔵物１０２を収納することもでき、利便性および収納性が向上する。
【００４８】
また、本実施の形態に係る棚装置４０では、円柱状の棒状体４２は、ラッチ部４７に軽保持される構成であるため、受け部４３と端部４２１との摩擦力を超える力を棒状体４２の回転方向に負荷することにより、図１中に示す矢印Ｃ１方向またはその逆方向に棒状体４２を回転させることができる。このように、棒状体４２が支持部４１に回転可能に支承されることにより、貯蔵物を棒状体４２に載置した状態のまま、貯蔵物を冷蔵室３０の前方または後方に向けて移動させることができる。その結果、冷蔵室３０の後方から貯蔵物を容易に取り出すことができるとともに、冷蔵室３０の後方へ貯蔵物を容易に収納することができ、利便性が向上する。
【００４９】
以上において説明した本実施の形態においては、受け部４３の支持面４６が棒状体４２の径と略同一の径の円弧形状を有する場合を例示したが、受け部４３の支持面４６は、棒状体４２の径よりも大きい径の円弧形状を有していてもよい。その場合には、ラッチ部４７と端部４２１とが接することはなく、端部４２１は、支持面４６によって回転可能に支承される。
【００５０】
また、上述した本実施の形態においては、棒状体４２が円柱形状を有する場合を例示したが、端部４２１の径と本体部４２２の径とが異なっていてもよい。
【００５１】
また、上述した本実施の形態においては、受け部４３が支持部４１の内側面４１２から外側面４１１に亘って貫通している場合を例示したが、受け部４３が棒状体４２の端部４２１を受け入れることが可能であれば、受け部４３が必ずしも貫通している必要はなく、外側面４１１に到達しない形状であってもよい。
【００５２】
さらには、上述した本実施の形態においては、支持部４１と冷蔵室３０の内壁面とが別体に構成される場合を例示したが、これらが一体に構成されてもよい。
【００５３】
（変形例）
図６は、本実施の形態に基づいた変形例に係る棚装置における棒状体の側面と支持部の断面を示す図である。図中上方に棒状体５２の側面を示し、図中下方に支持部５１の断面図を示す。次に、図６を参照して、上述した実施の形態１に基づいた変形例に係る棚装置５０について説明する。なお、支持部５１の受け部５３に棒状体５２を取り付けた状態における端部５２１の位置を、図中において破線で示す。
【００５４】
図６に示すように、本変形例に係る棚装置５０は、棒状体５２の形状において上述した本実施の形態に係る棚装置４０と相違する。本変形例に係る棒状体５２にあっては、端部５２１の形状が円柱であり、本体部５２２の形状が四角柱である。
【００５５】
棒状体５２は、図中に示す矢印Ａ３方向に沿って脱着可能である。棒状体５２が支持部５１に支持された状態では、棒状体５２は互いに離間して所定の配置ピッチＰで棚装置５０の前後方向（ＤＲ１方向）に並んで配置される。また、前後方向（ＤＲ１方向）において隣り合う棒状体５２の間には、隙間５４が設けられる。
【００５６】
次に、本変形例における棒状体５２の配置ピッチおよび回転動作について説明する。図７は、図６に示す棒状体５２が回転した状態における本体部５２２の断面図であり、棒状体５２の端部５２１を破線で示す。棒状体５２ａおよびこれに隣接する棒状体５２ｂに着目して、配置ピッチおよび回転動作について説明する。
【００５７】
図７に示すように、棒状体５２ａは端部５２１ａと本体部５２２ａを有し、棒状体５２ｂは端部５２１ｂと本体部５２２ｂを有する。
【００５８】
ここで、棒状体５２ａの本体部５２２ａにおける断面において、中心から本体部５２２ａまでの距離うち最長となる距離をＬａとし、棒状体５２ａに隣り合う棒状体５２ｂの本体部５２２ｂの断面において、中心から本体部５２２ｂまで距離のうち最長となる距離をＬｂとすると、Ｌａ＋Ｌｂ≧Ｐとなる場合は、棒状体５２ａ，５２ｂが回転した状態で、これらの本体部５２２ａ，５２２ｂの周面同士が接する。したがって、上記関係を満たすように棚装置５０を構成することにより、棒状体５２ａの頂点（角部）または周面と、棒状体５２ｂの頂点（角部）または周面とが相互に干渉し、棒状体５２が周回するように回転することができなくなる。
【００５９】
棒状体５２が支持部５１に支持された状態において、隣り合う棒状体５２ａおよび５２ｂの隙間５４が狭くなるほど棒状体５２の回転範囲が制限されるため、棒状体５２の回転範囲が狭くなる。棒状体５２の回転範囲が狭くなることで、棒状体５２上に載置された貯蔵物をほぼ水平に保つことができる。また、上記隙間５４を狭くすることで、貯蔵物が隙間５４から落下することが防止できる。
【００６０】
なお、本変形例においては、棒状体５２の本体部５２２の形状が四角柱である場合を例示したが、本体部５２２の形状は、四角柱に限定されず、三角柱等の断面形状が多角形からなる多角柱であってもよいし、断面形状が楕円形からなる楕円柱であってもよい。同様に端部５２１の形状も円柱に限定されず、角柱や楕円柱であってもよい。
【００６１】
（実施の形態２）
図８は、本発明の実施の形態２に係る棚装置における棒状体の側面と支持部の断面を示す図である。図中上方に棒状体６２の側面を示し、図中下方に支持部６１の断面図を示す。以下、図８を参照して、本実施の形態に係る棚装置６０について説明する。なお、支持部６１に、棒状体６２を取り付けた状態における端部６２１の位置を、図中において破線で示す。
【００６２】
図８に示すように、本実施の形態に係る棚装置６０は、棒状体６２が図中に示す矢印Ａ４方向に沿って脱着可能に構成されたものであり、棒状体６２の形状およびラッチ部６７の構造において、上述した実施の形態１に係る棚装置４０と相違する。
【００６３】
棒状体６２の端部６２１および本体部６２２は、同一形状の略四角柱状とされ、棒状体６２は、棚装置６０の前後方向（ＤＲ１方向）に位置する一対の周面の略中央部に凹部６２３を有する。凹部６２３は、棒状体６２の左右方向（紙面と垂直な方向）に亘って端部６２１と本体部６２２とに連続して設けられる。
【００６４】
受け部６３は、断面形状が略矩形であり、棒状体６２に設けられた凹部６２３と係合するラッチ部６７を有する。これにより、図中に示す矢印Ａ４方向に沿って棒状体６２を下方に移動させることにより、端部６２１に設けられた凹部６２３と受け部６３に設けられたラッチ部６７とが係合し、棒状体６２が支持部６１に軽保持される。
【００６５】
図中において破線で示されるように、棒状体６２を支持部６１に取り付けた状態においては、棒状体６２の上面が実質的に互いに平行になる。この状態においては、棒状体６２は回転することができず、棒状体６２の上面は水平に維持される。したがって、当該構成とした場合には、貯蔵物を水平に保つことができ、安定的に貯蔵物を棚装置６０上に載置することができる。また、棒状体６２に上方に向けて所定の力を付加することで、支持部６１から棒状体６２を取り外すことができる。
【００６６】
このように、本実施の形態に係る棚装置６０においても、複数の棒状体６２を支持部６１から個別に着脱することで、所望のスペースに応じて棚装置６０の棚面積を自在に変更することができる。
【００６７】
なお、本実施の形態においては、凹部６２３が棒状体６２の左右方向に亘って端部６２１と本体部６２２とに連続して設けられる場合を例示したが、当該凹部６２３は、端部６２１にのみ設けられてもよい。
【００６８】
また、本実施の形態においては、棒状体６２の前後方向に位置する周面の略中央部に凹部６２３が設けられた場合を例示したが、棒状体６２に特に凹部が形成されず、支持部６１に棒状体６２を取り付けた状態において、棒状体６２の上面にラッチ部６７が接するように、ラッチ部６７が受け部６３の上方の位置に形成されていてもよい。
【００６９】
（実施の形態３）
図９は、本発明の実施の形態３に係る棚装置の概略図である。本実施の形態に係る棚装置７０は、以下、図９を参照して、本実施の形態に係る棚装置７０について説明する。
【００７０】
図９に示すように、本実施の形態に係る棚装置７０は、棒状体７２の形状および当該棒状体７２を支持する支持部７１の支持構造において、上述した実施の形態１に係る棚装置４０と相違する。
【００７１】
棒状体７２は、その両端に位置する端部７２１が本体部７２２に対して折り曲げられた形状を有し、端部７２１の中心軸は、棚装置７０の上下方向（ＤＲ３方向）に延在し、本体部７２２の中心軸は、棚装置７０の左右方向（ＤＲ２方向）に延在する。すなわち、棒状体７２は、上述した実施の形態１の場合と異なる非直線状の形状を有しており、端部７２１の中心軸の延在方向と本体部７２２の中心軸の延在方向とが交差するように構成される。
【００７２】
支持部７１には、所定の間隔で棚装置７０の前後方向（ＤＲ１方向）に受け部７３が並んで形成され、受け部７３は、支持部７１の上面においてのみ開口している。これにより、受け部７３の上方から棚装置７０の下方に向けて棒状体７２の端部７２１を挿し込むことにより、棒状体７２が支持部７１によって支持される。一方、棒状体７２に上方に向けて所定の力を負荷することにより、支持部７１から棒状体７２を取り外すことができる。
【００７３】
このように、本実施の形態に係る棚装置７０においても、複数の棒状体７２を支持部７１から個別に着脱することで、所望のスペースに応じて棚装置７０の棚面積を自在に変更することができる。
【００７４】
なお、本実施の形態においては、特に受け部７３にラッチ部が設けられない場合を例示したが、受け部７３にラッチ部を設け、端部７２１に当該ラッチ部に係合する凹部等の係合部を設けることとしてもよい。
【００７５】
以上において、本発明の実施の形態およびその変形例について説明したが、今回開示された実施の形態およびその変形例はすべての点で例示であって制限的なものではない。本発明の範囲は特許請求の範囲によって画定され、特許請求の範囲と均等の意味および範囲内でのすべての変更が含まれる。
【符号の説明】
【００７６】
１  冷却庫、１０  筺体、１１  本体、１２  開閉扉、１３  仕切壁、１４  貯蔵容器、２０  圧縮機、２１  凝縮器、２２  蒸発器、３０  冷蔵室、３１  野菜室、３２  冷凍室、３３  機械室、４０，５０，６０，７０  棚装置、４１，５１，６１，７１  支持部、４２，５２，５２ａ，５２ｂ，６２，７２  棒状体、４３，５３，６３，７３  受け部、４４，５４  隙間、４５  傾斜面、４６  支持面、４７，６７  ラッチ部、１０１  背の低い貯蔵物、１０２  背の高い貯蔵物、４１１  外側面、４１２  内側面、４２１，５２１，５２１ａ，５２１ｂ，６２１，７２１  端部、４２２，５２２，５２２ａ，５２２ｂ，６２２，７２２  本体部、６２３  凹部。
【図１】
2014020744.tif 000003
【図２】
2014020744.tif 000004
【図３】
2014020744.tif 000005
【図４】
2014020744.tif 000006
【図５】
2014020744.tif 000007
【図６】
2014020744.tif 000008
【図７】
2014020744.tif 000009
【図８】
2014020744.tif 000010
【図９】
2014020744.tif 000011